(57)【要約】      （修正有）【課題】横板に対して上下方向に外力が作用した場合でも横板の前部の上下方向の変位を抑制し、好適な外観を維持することのできる組立式家具を提供する。【解決手段】組立式収納家具は、幅方向両側に配される側板２と、両側板２，２の間に配される横板としての天板３とを具備し、各側板２の前部に内側へ向けて突出する係合片２６が設けられる一方で、天板３の側面に係合片２６と係合するための係合溝３１が形成されており、係合溝３１と係合片２６とを係合させることで天板３の前部を上下方向に規制し得るように構成とした。【選択図】図１０
2016106646.tif 000002
【特許請求の範囲】
【請求項１】
幅方向両側に配される側板と、両側板の間に配される横板とを具備する組立式家具であって、
各側板の前部に内側へ向けて突出する係合片が設けられる一方で、
前記横板の側面に前記係合片と係合するための係合溝が形成されており、
前記係合溝と前記係合片とを係合させることで前記横板の前部を上下方向に規制し得るように構成したことを特徴とする組立式家具。
【請求項２】
前記係合片が、上下方向に沿って形成された板状部を備えることを特徴とする請求項１記載の組立式家具。
【請求項３】
前記横板は、側面に形成された開口と、当該開口に連続して下面に形成された切り欠き状の導入部とを備え、前記係合溝が前記開口に連続して前後方向に沿って形成されており、
前記係合片を前記導入部より導入して前記係合溝内に位置させることで、前記横板の前側を上下方向に規制し得るように構成したことを特徴とする請求項１又は２記載の組立式家具。
【請求項４】
前記係合溝と前記係合片とを係合させた状態において前記横板と前記側板との相対位置を固定するための固定部を備えていることを特徴とする請求項３記載の組立式家具。
【請求項５】
前記横板の後方に配される背板をさらに具備し、
当該背板の前部又は前記横板の後部の何れか一方に、係合凹部が設けられるとともに、何れか他方に、前記係合凹部と係合するための突出部が設けられていることを特徴とする請求項１〜４の何れかに記載の組立式家具。
【発明の詳細な説明】
【技術分野】
【０００１】
本発明は、複数の板材を簡単に組み合わせて構成する組立式家具に関する。
【背景技術】
【０００２】
ノックダウン等に好適な組立式家具を構成するにあたり、板材を組み立てる構造として、例えば特許文献１には、複数の板材を組み付けてなる組立式家具が開示されている。このものは、左右の側板、底板、天板及び背板を互いに連結することで箱形の筐体をなすとともに、前面が開放されることで前方より内部へのアクセスが可能とされている。
【０００３】
この組立式家具は天板が側板上部の間に配置され側方より天板が視認できない構成となっており、側方から見てフラットでスッキリとしたデザインとすることが可能となっている。
【先行技術文献】
【特許文献】
【０００４】
【特許文献１】特許第５１０９１５４号公報
【発明の概要】
【発明が解決しようとする課題】
【０００５】
しかしながら、上記特許文献１に開示される組立式家具のように側板間に天板を配置した構成とした場合には、側板の上端で天板を支持する構成に比べて、やや支持が弱くなる傾向にある。特に、後部は背板によっても支持させることが可能であるのに対して、前部は開放側となるために上下方向への荷重によって変位しやすく、側板との相対変位が生じることで外観が損なわれる。また、実使用に必要な強度を備えている場合であっても、使用者によっては強度不足との印象をもつ場合もある。
【０００６】
また、こうした問題は、板材を箱状に組み合わせる収納家具だけではなく、側板と天板によって構成されるデスク等の組立式家具にも共通するものといえる。
【０００７】
さらには、天板だけではなく、側板間に配される棚板であっても同様の問題が生じるため、横方向に配置される横板はこうした共通の問題を有しているといえる。
【０００８】
本発明は、このような課題を有効に解決することを目的としており、具体的には、横板に対して上下方向に外力が作用した場合でも横板の前部の上下方向の変位を抑制し、好適な外観を維持することのできる組立式家具を提供することを目的としている。
【課題を解決するための手段】
【０００９】
本発明は、かかる目的を達成するために、次のような手段を講じたものである。
【００１０】
すなわち、本発明の組立式家具は、幅方向両側に配される側板と、両側板の間に配される横板とを具備する組立式家具であって、各側板の前部に内側へ向けて突出する係合片が設けられる一方で、前記横板の側面に前記係合片と係合するための係合溝が形成されており、前記係合溝と前記係合片とを係合させることで前記横板の前部を上下方向に規制し得るように構成したことを特徴とする組立式家具。
【００１１】
このように構成すると、横板が側面に備える係合溝と側板の備える係合片とを係合させる簡単な構造でありながら、上下方向の力が作用した場合における横板前部の上下方向への変位を抑制し、好適な外観を維持することが可能となる。
【００１２】
さらに、簡単な構成としながら横板の前部の上下方向への変位をより効果的に抑制可能にするためには、前記係合片が、上下方向に沿って形成された板状部を備えるように構成することが好適である。
【００１３】
また、組み立ての容易化を図りつつ、上記の構成を具体的に実現するためには、前記横板は、側面に形成された開口と、当該開口に連続して下面に形成された切り欠き状の導入部とを備え、前記係合溝が前記開口に連続して前後方向に沿って形成されており、前記係合片を前記導入部より導入して前記係合溝内に位置させることで、前記横板の前側を上下方向に規制し得るように構成することが好適である。
【００１４】
さらに、横板前部の変位を好適に抑制し得る組み立て状態を安定的に維持させるためには、前記係合溝と前記係合片とを係合させた状態において前記横板と前記側板との相対位置を固定するための固定部を備えるように構成することが好適である。
【００１５】
横板の前部のみならず、横板の後部の上下方向変位をも効果的に抑制することを可能とするためには、前記横板の後方に配される背板をさらに具備し、当該背板の前部又は前記横板の後部の何れか一方に、係合凹部が設けられるとともに、何れか他方に、前記係合凹部と係合するための突出部が設けられるように構成することが好適である。
【発明の効果】
【００１６】
以上説明した本発明によれば、横板に対して上下方向に外力が作用した場合でも、横板の前部の上下方向への変位を抑制し、好適な外観を維持することのできる組立式家具を提供することが可能となる。
【図面の簡単な説明】
【００１７】
【図１】本発明の一実施形態に係る組立式家具を示す斜視図。
【図２】同組立式家具を構成する背板を示す斜視図。
【図３】同組立式家具を構成する側板を示す斜視図。
【図４】図２の背板と図３の側板との連結を説明するための一部構造を省略した説明図。
【図５】図２の背板と図３の側板が組立位置で連結された状態を示す図。
【図６】同組立式家具を構成する底板が連結される状態を説明するための斜視図。
【図７】底板を取り付けた家具本体を底面側から見た斜視図。
【図８】同組立式家具を構成する天板を示す斜視図。
【図９】同天板が連結される状態を説明するための斜視図。
【図１０】同天板が連結される状態を説明するための側面図。
【図１１】同組立式家具の変形例を部分的に示す図５に対応した斜視図。
【図１２】同組立式家具の他の変形例を示す図。
【発明を実施するための形態】
【００１８】
以下、本発明の一実施形態を、図面を参照して説明する。
【００１９】
図１に示すように、本発明の一実施形態である組立式家具としての組立式収納家具Ｆａは、前面を開口させた中空の家具本体Ｆａ１を主体とするオープン収納型の収納家具である。
【００２０】
家具本体Ｆａ１は、板材である背板１と、同じく板材であって背板１の両側端部に取り付けられる側板２と、同じく板材であって側板２の上端部間に取り付けられる横板としての天板３と、同じく板材であって側板２の下端部間に取り付けられる底板４とを箱状に組み付けることにより構成され、内部に収容空間ｓｐ１を形成する。なお、以下の説明において、家具本体Ｆａ１が開口している側を前方（前側）とし、背板１が位置する側を後方（後側）とし、天板３が位置する側を上方（上側）とし、底板４が位置する側を下方（下側）とし、家具本体Ｆａ１を構成する背板１、側板２、天板３及び底板４に囲まれる収容空間ｓｐ１側を内方（内側）とし、家具本体Ｆａ１の反収容空間ｓｐ１側を外方（外側）とし、前方から後方に向かって右を右方（右側）、左を左方（左側）とする。
【００２１】
背板１は、一枚の金属製の板材料を塑性変形加工（例えば板金加工等）により適宜折り曲げて形成されるもので、図２に示すように、右側端部および左側端部をそれぞれ前方に略直角に折り曲げて左端面１ｃ及び右端面１ｄを形成するとともに、その先端部に連結部としての背板側連結部１０，１０を形成している。また、上端部（上縁部）を内方に略直角に折り曲げて上端面１ａを形成するとともに、その先端部を下方に略直角に折り曲げて上内壁部１１ａを形成し、さらにその先端部を前方に略直角に折り曲げて板材受けとしての天板受け１１ｂを形成している。天板受け１１ｂは、その左右方向における端部がテーパ状にカットされてテーパ部１１ｂ１が形成されている。テーパ部１１ｂ１の傾斜角度は、後述する背板１と側板２との連結時に、背板１に対して配置する側板２の好適な傾斜角度と略等しい角度に調整されている。さらに、下端部（下縁部）を内方に略直角に折り曲げて下端面１ｂを形成するとともに、その先端部を上方に折り曲げ、さらにその先端部を前方に略直角に折り曲げて板材受けとしての底板受け１２を形成している。また、背板１の上端部のうち、左右両端側には、下方に向かって開放された係合凹部としての切欠き部１１ａ１を形成している。切欠き部（スリット）１１ａ１は、上内壁部１１ａの左右両端部の一部を略矩形状に切り欠いて形成されたものであり、切欠き部１１ａ１の上縁１１ａ２から天板受け１１ｂの上面までの上下方向長さは、後述する突出部の挿入部分における上下方向の長さと略等しく構成される。
【００２２】
左側端部に形成される背板側連結部１０は、具体的に、左端面１ｃの先端部を左方に略直角に折り曲げることで、背板１の面板部１ｘと略平行な第１平行部分１０ａを形成し、さらにその先端部を前方に略直角に折り曲げることで、面板部１ｘと略直交する第１直交部分１０ｂを形成している。また、第１直交部分１０ｂの先端部を左方に略直角に折り曲げることで、前記第１平行部分１０ａと略平行な第２平行部分１０ｃを形成するとともに、さらにその先端部を後方に略直角に折り曲げて、前記第１直交部分１０ｂと略平行な第２直交部分１０ｄを形成し、平面視略Ｊ形をなす鉤状としている。第２平行部分１０ｃは第１平行部分１０ａよりも短く構成されるとともに、第２直交部分１０ｄは第１直交部分１０ｂよりも短く構成されており、組立位置において側板２と連結された状態において、第２直交部分１０ｄと側板２の面板部２ｘ（図３参照）との間には所定の隙間が形成される。また、背板側連結部１０の上端部には、第１直交部分１０ｂと第２平行部分１０ｃにかけて開口する係合窓１０ｂｃが形成されている。この係合窓１０ｂｃは、後述する係合爪２１ｃ（図３参照）に対応して開口しており、詳しくは後述する。
【００２３】
また、第１直交部分１０ｂには、棚板５（図１参照）を取り付けるための棚板取付孔１０ｂ１が上下方向に複数並んで形成されている。右側端部に形成される右端面１ｄ及び背板側連結部１０は、左側端部にある上述した背板側連結部１０と左右対称に構成される。
【００２４】
背板１において左端面１ｃを含む縁部および右端面１ｄを含む縁部が、それぞれ側板２，２との係合縁部１０ｘ，１０ｘとなる。
【００２５】
側板２は、図３に示すように、一枚の金属製の板材料を塑性変形加工（例えば板金加工等）により適宜折り曲げて略矩形状に形成されるもので、家具本体Ｆａ１の側面を構成する。そして、上下端及び前後端を内方に略直角に折り曲げて上端面２ａ、下端面２ｂ、後端面２ｃ及び前端面２ｄをそれぞれ形成している。この後端面２ｃを含む縁部が、背板１との係合縁部２１ｘとなる。
【００２６】
背板１の左側端部に配置される側板２は、後端部に、背板側連結部１０と係合可能な連結部としての側板側連結部２１が形成されている。側板側連結部２１は、具体的に、後端面２ｃの先端部を前方に略直角に折り曲げて側板２の面板部２ｘと平行な平行部分２１ａを形成するとともに、その先端部をさらに左側に略直角に折り曲げて平行部分２１ａと略直交する直交部分２１ｂを形成することで、平面視略コ字形をなすように構成される。直交部分２１ｂはその上端部が切り欠かれており、平行部分２１ａの上端部における前端からは、上述した背板側連結部１０に形成される係合窓１０ｂｃ（図２参照）と対応する位置に、側面視略矩形状をなす係合凸部としての係合爪２１ｃが前方に向けて延出している。このような側板側連結部２１には、組立位置において背板側連結部１０の棚板取付孔１０ｂ１と重なる位置に棚板取付孔２１ａｂが形成されている。なお、側板側連結部２１の棚板取付孔２１ａｂは、背板側連結部１０の棚板取付孔１０ｂ１よりも一回り大きく設定されている。そのため、棚板５（図１参照）を取り付けるためのフックなどの取付補助具（図示せず）は、棚板取付孔２１ａｂにはほとんど位置規制されることなく、専ら棚板取付孔１０ｂ１によって位置規制される。背板１の右側端部に配置される側板２は、背板１の左側端部に配置される上述した側板２と左右対称の構成である。
【００２７】
また、側板２の前端部には、補強材２２が上下方向に延在して取り付けられている。この補強材２２にも、棚板取付孔２１ａｂと対応する高さ位置に棚板取付孔２２ａが上下方向に複数並んで形成されている。なお、この棚板取付孔２２ａの寸法は、背板側連結部１０の棚板取付孔１０ｂ１とほぼ等しく設定されている。側板２の上端部および下端部のうち、補強材２２の後端側にはアーク溶接等によってブラケット２３，２４がそれぞれ取り付けられている。上端部にあるブラケット２３は、図３に示すように、側板２の面板部２ｘから水平に延びる水平片２３ａと水平片２３ａの前後端からそれぞれ起立する起立片２３ｂ，２３ｃとで構成されている。水平片２３ａには天板３とねじ留めするためのネジ挿通孔２３ａ１が形成されており、ブラケット２３は、ネジ挿通孔２３ａ１を介して後述するようにネジ止めによって天板３を固定する固定部として機能する。側板２の下端部にあるブラケット２４は、補強材２２の下端から水平に延びる水平片２４ａと水平片２４ａの前後端からそれぞれ起立する起立片２４ｂ，２４ｃとで構成されている。このうち、前方にある起立片２４ｂは面板部２ｘに向けてテーパ状になっており、また、水平片２４ａには底板４とねじ留めするためのねじ孔２４ａ１が形成されている。さらに、側板２の前方かつ上方にある隅部（側板２の前上部）には、内側に向けて突出する係合片２６が形成されている。係合片２６は、上下方向に平行な板状部２６ａを含むものとなっており、その小口によって上下方向の力を受けることができるため、上下方向に対しては大きな強度を有している。
【００２８】
上記背板側連結部１０は、図４（ａ）に示すように、その先端部をほぼ周回させて左右方向外側に向かって開放された開口が形成されており、この開口より側板側連結部２１を背板側連結部１０に挿入して、係合縁部１０ｘ，２１ｘの延在方向と略直交する方向から係合爪２１ｃを内方に向けて係合窓１０ｂｃより突出させることができる。係合窓１０ｂｃに挿入された当初、係合爪２１ｃは係合窓１０ｂｃのうち第１平行部分１０ａ側に位置し、この状態から係合爪２１ｃを第２平行部分１０ｃ側に移動させることができるように係合窓１０ｂｃの幅寸法が構成されている。前記係合窓１０ｂｃの上下方向の開口寸法は、係合爪２１ｃの上下方向の長さとほぼ等しく構成されており、係合爪２１ｃの上端または下端が係合窓１０ｂｃの上縁または下縁にそれぞれ当接することで、背板１及び側板２の係合縁部１０ｘ，２１ｘに沿った相対移動が規制されるように構成されており、本実施形態ではこのような係合爪２１ｃ及び係合窓１０ｂｃが移動規制部Ａとなる。なお、図４（ａ）では側板２の天板受け１１ｂの図示を省略している。
【００２９】
上記のような背板１に側板２を連結させる際には、図４（ｂ）に示すように、係合縁部１０ｘ，２１ｘを互いに近づけるとともに、背板１に対して側板２を互いの面板部１ｘ，２ｘ同士がほぼ対向するように傾斜させて配置する。このとき、側板２は、平面視において背板１に設けられた天板受け１１ｂのテーパ部１１ｂ１に沿って配置されるとともに、係合爪２１ｃが係合窓１０ｂｃの第１平行部分１０ａ側に挿入されるようにする。天板受け１１ｂのテーパ部１１ｂ１の傾斜角は、係合爪２１ｃが係合窓１０ｂｃに円滑に挿入できる角度に設定されており、このテーパ部１１ｂ１を組立の際の目安とすることができる。
【００３０】
そして、このように背板側連結部１０および側板側連結部２１を係合させた状態で側板２の前端部側を矢印Ｘに示す方向に相対回転させ、図５に示すように、側板２を背板１に対して略直交する組立位置に移動させる。この移動中、背板側連結部１０および側板側連結部２１は、互いに弾性変形しつつ背板側連結部１０が側板側連結部２１を巻き込んで係合状態が深まっていく。組立位置では、側板側連結部２１の平行部分２１ｃが背板側連結部１０の第２直交部分１０ｄに突き当たるとともに、側板側連結部２１の後端面２ｃが背板側連結部１０の第１平行部分１０ａに沿って突き当たり、背板側連結部１０に側板側連結部２１が収容された状態となって、このような係合状態にある背板側連結部１０及び側板側連結部２１によって家具本体Ｆａ１の剛性が確保される。このとき、図５（ｂ）に示すように、係合爪２１ｃは係合窓１０ｂｃにおいて第２平行部分１０ｃ側に位置する。このようにして、背板１と側板２とが直交して連結されるとともに、係合爪２１ｃと係合窓１０ｂｃとからなる移動規制部Ａによって係合縁部１０ｘ，２１ｘの延在方向と平行な方向すなわち上下方向に対して相対的な移動が規制され、背板１に対して側板２が取り付けられる。背板１の右端部側にも同様にして側板２が取り付けられる。なお、図４（ｂ）及び図５（ｂ）において背板側連結部１０及び側板側連結部２１は、これらを構成する構成材料の厚み等を模式的に示している。
【００３１】
その後、図６に示すように、前方から後方に向けて、底板４を後端部が前端部よりも下になる状態で背板１の下端部に向けて差し込む。底板４は、一枚の金属製の板材料を塑性変形加工（例えば板金加工等）により適宜折り曲げて形成されるものであり、裏面側には、前端部において幅方向に延在する補強材４２と、左右両端部よりやや内側において前後方向に延在する補強材４１が設けられている。さらに、底板４の面板部４ｘの左右端部には、背板側連結部１０の外形に沿って略等しく切り欠かれた嵌合溝４０が形成されており、図１に示すように、係合状態にある背板側連結部１０及び側板側連結部２１を嵌合溝４０で両側から挟み込むことができる。そして、底板４の前端部を下方に押し下げ、ブラケット２４の起立片２４ｂを底板４の裏面側の補強材４２に形成された係合穴４３（図７参照）に挿入させるとともに、起立片２４ｃを補強材４２の後端面に沿わせ、さらに側板２の底板受け２５及びブラケット２４の水平片２４ａに底板４の補強材４２を押し当てる。その後、底板４に形成されたネジ挿通孔４４ｂに挿通させたネジによって、ネジ孔２４ａ１を利用してブラケット２４を底板４の補強材にねじ留めする。ここで、図７に示すように、底板４の裏面には前後方向に延在する補強材４１が幅方向に離間して２つ取り付けられている。補強材４１は、底板４ｘの面板部４ｘに対向するベース部分４１ａと、ベース部分４１ａの左右両端から面板部４ｘに向けて延びる延出部分４１ｂと、延出部分４１ｂの先端から面板部４ｘに当接して延びる当接部分４１ｃとを有し、延出部分４１ｂの後端を切り欠くことで背板１の底板受け１２に向けて開口させた水平凹部４１ｂ１を形成している。上記のようにして底板４が水平に押し下げられた状態では、水平凹部４１ｂ１が底板受け１２を上下方向から挟み込んでおり、底板受け１２の上面または下面が水平凹部４１ｂ１の上縁または下縁に当接することで、底板４の後端部が上下方向において位置規制される構成となっている。水平凹部４１ｂ１の開口縁部は、底板受け１２を挿入しやすいようテーパ状となっている。なお、底板４には、図１に示すベース部６を取り付けるための図示しないネジ孔が形成されており、このネジ孔は蓋部４４ａによって覆われている。このようにして底板４が背板１および側板２に取り付けられる。
【００３２】
天板３は、図８に示すように、一枚の金属製の板材料を塑性変形加工（例えば板金加工等）により適宜折り曲げて略矩形状に形成されるもので、家具本体Ｆａ１の上面を構成する。そして、左右両端及び前後端を内方に略直角に折り曲げて前端面３ａ、後端面３ｂ、右端面３ｃ及び左端面３ｄをそれぞれ形成している。また、右端面３ｃ及び左端面３ｄの先端部を内方に略直角に折り曲げることで、天板３の面板部３ｘと略平行な内平行部分３ｃ１を形成するとともに、その先端部をさらに上方に略直角に折り曲げることで、面板部３ｘと略直交する内直交部分３ｃ２を形成している。また、天板３の後端面３ｂの左右両端部には突出部３０が設けられている。突出部３０は、上下方向に平行に延びる板状の挿入部分３０ａと、当該挿入部分３０ａと略直交する補強部分３０ｂとを有する断面略Ｌ字状のものであり、挿入部分３０ａは、右端面３ｃ及び左端面３ｄとなる部分を後端面３ｂよりも後方に延在させて形成し、補強部分３０ｂは、内平行部分３ｃ１を後端面３ｂよりも後方に延在させて形成している。なお、突出部３０の形状は断面略Ｌ字状に限定されず、挿入部分３０ａのみを備えた断面略Ｉ字状であってもよいが、補強部分３０ｂが設けられることで、突出部３０の強度を上げることができる。
【００３３】
さらに、天板３は、裏面側の前部に左右方向に延びる補強材３２を備えており、この補強材３２は面板部３ｘの裏面に対して、スポット溶接等の手段によって取り付けられている。補強材３２は、天板３の面板部３ｘと所定距離だけ離間して天板３の面板部３ｘに対向するベース部分３２ａと、ベース部分３２ａの前後両端から面板部３ｘに向けてそれぞれ延びる第１延出部分３２ｂ，３２ｃと、前方にある一方の第１延出部分３２ｃの先端部から面板部３ｘと平行に延びる第１平行部分３２ｅと、第１平行部分３２ｅの先端から前端面３ａに沿って上方に延びる前端面平行部分３２ｇ（図１０参照）と、第２延出部分３２ｇから面板部３ｘに沿って後方に延びる面板部平行部分３２ｈ（図１０参照）と、後方にある他方の第１延出部分３２ｂから面板部３ｘと平行に延びる第２平行部分３２ｄと、第２平行部分３２ｄの後端から面板部３ｘに向けて延びる第２延出部分３２ｆとを含んで構成される。前端面３ａはその先端部がさらに後方および上方に略直角に折り曲げられており、この上方に折り曲げられた部分が第１延出部分３２ｃに当接している。また、前端面３ｃを構成する板材料は、その左右両端が後方に向けて略直角に折り曲げられて、右端面３ｃ及び左端面３ｄの前端部を構成する前端部分３３を形成している。前端部分３３は右端面３ｃ及び左端面３ｄの各前端に沿って延びる前端領域３３ａと、前端領域３３ａの下端部から後方に延びる後方領域３３ｂとで側面視略Ｌ字状に構成されている。
【００３４】
天板３は、側面をなす右端面３ｃ及び左端面３ｄのうち、前端部分３３を除いて上記補強材３２に対応する部分が切り欠かれて、開口である側面開口部３４を形成している。そして、この側面開口部３４の前方側には、前記係合片２６（図３参照）と係合するための前後方向に延びる係合溝としての天板係合溝３１が側面開口部３４及び前端部分３３によって形成されている。側面開口部３４の下縁すなわち天板係合溝３１の上縁３１ｃと、前端部分３３の後方領域３３ｂの上縁すなわち天板係合溝３１の下縁３１ｂとは、ほぼ平行にされるとともに両者の間隔を係合片２６（図３参照を）の上下方向寸法よりやや大きい程度に設定し、係合する係合片２６を天板係合溝３１の上縁３１ｃと下縁３１ｂにより上下方向に位置規制できるように構成されている。
【００３５】
さらに、補強材３２には、ベース部３２ａの前方側端部を切り欠いて、前記側面開口部３４と連続する導入部３１ａを形成している。この導入部３１ａを介して、側面開口部３４内の空間に下方より係合片２６（図３参照）を導入し、さらに天板係合溝３１に挿入させることができる。
【００３６】
また、後方側にある他方の第２平行部分３２ｄには、ブラケット２３（図３参照）の一方の起立片２３ｂを差し込むための差込孔３２ｃ１が形成されている。さらに、第２延出部分３２ｆよりも後方側において、ブラケット２３の他方の起立片２３ｃを側面側より差し込むための差込開口３２ｆ１が形成されている。第２平行部分３２ｄには、ブラケット２３に設けられたネジ挿通孔２３ａ１と対応する位置にナットを溶接することでネジ孔（図示せず）が形成され、ネジ挿通孔２３ａ１と協働してねじ留めを可能としている。
【００３７】
このような天板３を背板１および側板２に連結させる際には、図９及び図１０（ａ）に示すように、天板３の前端部が後端部より高くなるように傾斜させ、天板３の後端面３ｂに設けた突出部３０を背板１の切欠き部１１ａ１に挿し込んで係合させることで上方への変位を規制した状態とする。そして、天板３の前端部を矢印に示すように下方に押し下げ、図１０（ｂ）のように係合片２６を導入部３１ａより側面開口部３４内の空間に導入させるとともに、ブラケット２３の起立片２３ｂ，２３ｃを差込孔３２ｃ１および差込開口３２ｆ１にそれぞれ差し込み、図９において二点鎖線で示す状態とする。差込孔３２ｃ１および差込開口３２ｆ１は、起立片２３ｂ，２３ｃに対して後方側に向かって余裕があり、その分天板３を後方側に向かって移動させることができるように構成されている。この状態より天板３を矢印に沿って後方側に押し込むことで、導入部３１ａにある係合片２６を天板係合溝３１内へと相対的に移動させ、図１０（ｃ）に示す状態にし、係合片２６を天板係合溝３１に係合させることができる。この状態では、係合片２６の上端と下端が、天板係合溝３１の上縁３１ｃと下縁３１ｂにそれぞれ当接することで、天板３の前端部の上下方向における位置決めがなされる。そして、さらにネジ挿通孔２３ａ１と、補強材３２に設けたネジ孔（図示せず）を利用して、ねじ留めによって固定する。こうすることで、天板３は前側への移動を行うことが不能となり、上下方向への位置規制がなされた安定した状態を保つことが可能となっている。また、このようにして取り付けられる天板３の上面と側板２の上端面２ａ（図３参照）とは面一になるように設定されており、組立式収納家具Ｆａの外観を好適にすることができる。
【００３８】
その後、さらに、必要に応じて図１に示すベース部６を底板４の裏面側に取り付けることで、本実施形態の組立式収納家具Ｆａを組み立てることができる。
【００３９】
以上のように本実施形態の組立式家具としての組立式収納家具Ｆａは、幅方向両側に配される側板２，２と、両側板２，２の間に配される横板としての天板３とを具備し、各側板２の前部に内側へ向けて突出する係合片２６が設けられる一方で、天板３の側面に係合片２６と係合するための係合溝３１が形成されており、係合溝３１と係合片２６とを係合させることで天板３の前部を上下方向に規制し得るように構成したものである。
【００４０】
このように構成すると、天板３が側面に備える係合溝３１と側板２の備える係合片２６とを係合させる簡単な構造でありながら、上下方向の力が作用した場合における天板３前部の上下方向への変位を抑制し、好適な外観を維持することが可能となる。
【００４１】
さらに、係合片２６が、上下方向に沿って形成された板状部２６ａを備えるように構成したことから、板状部２６ａの小口によって上下方向の力を受けて、上下方向に対して大きな強度を有することができ、簡単な構成としながら天板３の前部の上下方向への変位をより効果的に抑制することができる。
【００４２】
また、天板３は、側面、具体的には右端面３ｃ及び左端面３ｄにそれぞれ形成された開口としての側面開口部３４と、当該側面開口部３４に連続して下面に形成された切り欠き状の導入部３１ａとを備え、係合溝３１が側面開口部３４に連続して前後方向に沿って形成されており、係合片２６を導入部３１ａより導入して係合溝３１内に位置させることで、天板３の前側を上下方向に規制し得るように構成したことから、組み立ての容易化を図りつつ、天板３前部の上下方向への変位を抑制可能な上記の構成を具体的に実現することができる。
【００４３】
さらに、係合溝３１と係合片２６とを係合させた状態において天板３と側板２との相対位置を固定するための固定部としてのブラケット２３を備えるように構成したことから、組立式収納家具Ｆａの使用時において天板３に前方へ向かう外力が作用しても、係合片２６が係合溝３１から導入部３１ａに相対的に移動することなく、天板３前部の変位を好適に抑制し得る組み立て状態を安定的に維持させることができる。
【００４４】
一方、天板３の後方に配される背板１をさらに具備し、当該背板１の前部に係合凹部としての切欠き部１１ａ１が設けられるとともに、天板３の後部に、切欠き部１１ａ１と係合するための突出部３０が設けられるように構成したことから、天板３の前部のみならず、天板３の後部の上下方向変位をも効果的に抑制することができる。
【００４５】
以上、本発明の一実施形態について説明したが、各部の具体的な構成は、上述した実施形態のみに限定されるものではなく、本発明の趣旨を逸脱しない範囲で種々変形が可能である。
【００４６】
例えば、本実施形態において移動規制部Ａは、係合爪２１ｃおよび係合窓１０ｂｃとで構成されているが、このような構成に限定されず、図１１に示すように、背板１Ａに設けられて側板２Ａに向けて水平に延びる板材受けとしての天板受け８０ｂの左右方向における先端部８０ｂ１と、側板２Ａの側板側連結部８２に開口する係合窓８２ａとで移動規制部Ａ´が構成されてもよい。
【００４７】
側板２Ａは、係合爪２１ｃが形成されていないことと、係合窓８２ａが形成されていること以外は図４等に示す側板２と同様の構成である。背板１Ａは、背板側連結部８１に係合窓１０ｂｃ（図４参照）が形成されておらず、背板側連結部８１の上端８１ａが係合窓８２ａよりも下方に位置すること、係合凹部として図２に示す切欠き部１１ａ１の代わりに挿入開口部８０ｂ１が形成されていること、及び、天板受け８０ｂの先端部８０ｂ１が挿入開口部８０ｂ１及び背板側連結部８１の上端８１ａを超えて延びていることを除いて図４等に示す背板１と同様の構成である。天板受け８０ｂは、上内壁部１１ａの先端部を前方に略直角に折り曲げて形成されたものであり、挿入開口部８０ｂ１は、天板受け８０ｂの基端から上方に向けて上内壁部１１ａの一部を略矩形状に開口させて形成されている。また、天板受け８０ｂは、左右方向において先端部８０ｂ１が中央部８０ｂ２よりも前後方向に短く構成されており、先端部８０ｂ１は中央部８０ｂ２とテーパ部１１ｂ１で繋がっている。なお、先端部８０ｂ１の上下方向への曲げ強度を高めるために、上下方向への折り曲げや折り返しを行うように構成することも好適である。係合窓８２ａは、天板受け８０ｂの先端部８０ｂ１と対応する高さ位置において、側板側連結部８２のうち側板２Ａの面板部２ｘと平行な平行部分２１ａを基端側から前方に向けて切欠くとともに、この切欠きと連続するように側板２Ａの後端面２ｃを組立位置において天板受け８０ｂの左右方向先端を超える位置まで切欠くことで形成されている。係合窓８２ａの上下寸法は、天板受け８０ｂの先端部８０ｂ１の上下方向寸法よりやや大きい程度に構成され、係合窓８２ａの幅寸法は、背板１Ａと側板２Ａとを連結時に相対回転させることによる天板受け８０ｂの先端部８０ｂ１の移動を許容可能となるよう、先端部８０ｂ１の前後方向の長さに対して幅広に構成される。このような係合窓８２ａに、背板１Ａと側板２Ａとの係合縁部８１ｘ，８２ｘの延在方向と直交する方向から天板受け８０ｂの先端部８０ｂ１が挿入されることで、組立位置において背板１Ａ及び側板２Ａが係合縁部８１ｘ，８２ｘの延在方向に沿って相対移動することが規制される。
【００４８】
このように、背板１Ａは、背板１Ａと側板２Ａとの係合縁部８１ｘ，８２ｘと略直交する水平方向に延びるとともに、天板３となる板材を載置するための板材受けとしての天板受け８０ｂを上縁部に備え、側板２Ａは、天板受け８０ｂの先端部８０ｂ１を挿入可能で、当該先端部８０ｂ１の上下方向の長さに対応して開口するとともに、前記相対回転に伴う天板受け８０ｂの先端部８０ｂ１の移動を許容可能な幅寸法を有する係合窓８２ａを備え、これら天板受け８０ｂの先端部８０ｂ１および係合窓８２ａによって移動規制部Ａ´が構成される。このように、板材を箱状に組み立ててなる収納家具において一般的に設けられる天板受け８０ｂを利用することで、部品点数を増やすことなく、移動規制部Ａ´を容易に構成することができる。
【００４９】
また上記のように、前方から見て天板受け８０ｂが挿入開口部８０ｂ１の下方を塞ぐ構成であっても、天板３の突出部３０を挿入開口部８０ｂ１に好適に挿入可能であり、前述のように天板３の後部の上下方向変位を効果的に抑制することができる。
【００５０】
なお、図１１に示す上記構成では、天板受け８０ｂの先端部８０ｂ１と、側板側連結部８２の上端部に位置する係合窓８２ａとで移動規制部Ａ´が構成されているが、背板１Ａの下端部に設けられる図示しない底板受けの先端部と、側板側連結部８２の下端部に形成される図示しない係合窓とで移動規制部が構成されるような構成であってもよい。また、側板２Ａに設けられる天板受け８３の先端部と、背板に形成される図示しない係合窓とで移動規制部が構成されるような構成であってもよい。
【００５１】
また、上記実施形態はオープン収納型の収納家具であるが、図１２に示すように、家具本体Ｆａ１の前面に、家具本体Ｆａ１の前面開口を閉止する閉止位置又は開放する開放位置に回転により開閉可能となる対をなす開き戸７，７取り付け、開き戸型の収納家具Ｆａαとしてもよい。さらに、スライド移動する引き戸を収納家具Ｆａ１に取り付けて引き戸型の収納家具としてもよい。
【００５２】
また、上記実施形態では天板３に突出部３０が形成されるとともに、背板１に係合凹部としての切欠き部１１ａ１（又は挿入開口部８０ｂ１）が形成されているが、天板３に係合凹部が形成されるとともに、背板１に突出部３０が形成される構成であってもよい。
【００５３】
さらに、本実施形態では、移動規制部の一方は、板材を貫通する係合窓１０ｂｃ，８２ａによって構成されるが、板材料を貫通しない係合穴によって移動規制部の一方が構成されてもよい。また、係合窓１０ｂｃ，８２ａに挿入される係合凸部としては、係合窓１０ｂｃ，８２ａに挿入されて移動規制部の他方として機能することが可能なものであれば、爪状のものに限定されず、種々の構造をとり得る。
【００５４】
また、本実施形態では、背板側連結部１０に係合窓１０ｂｃが形成され、側板側連結部２１に係合爪２１ｃが形成されているが、側板側連結部２１に係合窓が形成され、背板側連結部１０に係合爪が形成される構成であってもよい。また、このような移動規制部Ａが、連結部１０，２１の中央部や下端部に設けられてもよく、係合縁部１０ｘ，２１ｘに沿って複数箇所に設けられてもよい。
【００５５】
さらに、上記実施形態では、底板３に設けられた水平凹部４１ｂ１と係合する水平突出部が背板１に設けられた底板受け１２によって構成されているが、背板１に別途底板４に向けて延びる突出部を設けてそれを水平突出部としてもよい。また、背板１に水平突出部、底板４に水平凹部４１ｂ１がそれぞれ設けられる構成に限定されず、背板１に水平凹部４１ｂ１、底板４に水平突出部がそれぞれ設けられる構成であってもよい。また、側板１及び天板３が水平突出部と水平凹部４１ｂ１とで上下方向に位置決めされる構成であってもよい。
【００５６】
また、上記実施形態では背板１の天板受け１１ｂにテーパ部１１ｂ１が形成されているが、側板２の天板受け２４や、底板受け１２，２５にテーパ部が形成されるような構成であってもよい。
【００５７】
また、図１に示すような棚板５の取り付けに、棚板取付孔１０ｂ１，２２ａの代わりに上記係合片２６及び上記係合溝３１を利用する構成としてもよく、この場合には、横板としての棚板５の前垂れを好適に防止することができる。
【００５８】
さらに、上記実施形態では連結部１０，２１（８１，８２）は背板１（１Ａ）および側板２（２Ａ）の連結に用いられているが、背板１（１Ａ）と底板４との連結、背板１（１Ａ）と天板３との連結、側板２（２Ａ）と底板４との連結、側板２（２Ａ）と天板３との連結などに用いられてもよい。また、図１，１１に示すように家具本体Ｆａ１が前方に開口可能な構成でなく、上方に向けて開口するような組立式家具であってもよい。
【００５９】
加えて、このような連結部１０，２１（８１，８２）を用いた板材の連結構造は、上述した直方状をなす組立式収納家具だけではなく、三角柱、五角注、六角形など板材の数を異ならせた場合でも適用することができる。
【００６０】
また、上記実施形態では、板材を箱状に組み合わせる組立式収納家具Ｆａ，Ｆａαに上記係合片２６及び上記係合溝３１が適用されるが、側板と天板によって構成されるデスク等の組立式家具に上記係合片２６及び上記係合溝３１が適用されてもよい。
【００６１】
その他の構成も、本発明の趣旨を逸脱しない範囲で種々変形が可能である。
【符号の説明】
【００６２】
１，１Ａ・・・背板
２，２Ａ・・・側板
２ａ・・・側板の上端面
３・・・天板（横板）
５・・・棚板（横板）
１１ａ１・・・切欠き部（係合凹部）
２３・・・ブラケット（固定部）
２６・・・係合片
２６ａ・・・板状部
３０・・・突出部
３１・・・係合溝
３１ａ・・・導入部
３４・・・側面開口部（開口）
８０ａ１・・・挿入開口部（係合凹部）
Ｆａ，Ｆａα・・・組立式収納家具（組立式家具）
【図１】
2016106646.tif 000003
【図２】
2016106646.tif 000004
【図３】
2016106646.tif 000005
【図４】
2016106646.tif 000006
【図５】
2016106646.tif 000007
【図６】
2016106646.tif 000008
【図７】
2016106646.tif 000009
【図８】
2016106646.tif 000010
【図９】
2016106646.tif 000011
【図１０】
2016106646.tif 000012
【図１１】
2016106646.tif 000013
【図１２】
2016106646.tif 000014